(57)【要約】    【課題】移動通信端末機において、マルチタスキングで同時に複数のタスクを行う際の作業性を向上させる。    【解決手段】複数のタスクを同時に実行できる移動通信端末機において、タスクメニューの表示要求があったときに、同時に実行可能なタスクを含む第１タスクリスト４０と、現在実行中のタスクを示す第２タスクリスト５０とを、表示部に同時に表示する。【選択図】図２
2007042105.tif 000002
【特許請求の範囲】
【請求項１】
複数のタスクを同時に実行できる移動通信端末機において、
タスクメニューの表示要求があったときに、同時に実行可能なタスクを含む第１タスクリストと、現在実行中のタスクを示す第２タスクリストとを、表示部に同時に表示することを特徴とする移動通信端末機。
【請求項２】
前記第２タスクリストから特定のタスクが選択されると、該選択されたタスクの進行状態情報を前記表示部に表示することを特徴とする請求項１に記載の移動通信端末機。
【請求項３】
前記第１タスクリストから特定のタスクが選択されると、該選択されたタスクを実行するとともに該選択されたタスクが前記第２タスクリストに含まれるように、前記第２タスクリストを更新することを特徴とする請求項１に記載の移動通信端末機。
【請求項４】
前記第１タスクリストをスクロールするためのスクロールバーをさらに表示することを特徴とする請求項１に記載の移動通信端末機。
【請求項５】
前記第１タスクリスト及び前記第２タスクリストを一つの表示部に表示することを特徴とする請求項１に記載の移動通信端末機。
【請求項６】
複数の表示部を備え、
前記第１タスクリストと前記第２タスクリストとを、それぞれ異なる表示部に表示する
ことを特徴とする請求項５に記載の移動通信端末機。
【請求項７】
前記第２タスクリストは、現在実行中のタスクをアイコン表示したものであることを特徴とする請求項１に記載の移動通信端末機。
【請求項８】
前記第２タスクリストから特定のアイコンが選択されると、該選択されたアイコンに対応するタスクの名称を表示することを特徴とする請求項７に記載の移動通信端末機。
【請求項９】
前記第２タスクリストから特定のアイコンが選択されると、該選択されたアイコンに対応するタスクの進行状態を表す進行状態情報を表示することを特徴とする請求項７に記載の移動通信端末機。
【請求項１０】
前記第２タスクリストから特定のアイコンが選択されると、該選択されたアイコンに対応するタスクの名称及び該タスクの進行状態を表す進行状態情報を表示することを特徴とする請求項７に記載の移動通信端末機。
【請求項１１】
前記タスクの進行状態に応じて前記選択されたアイコンが変化することで前記進行状態情報を表示することを特徴とする請求項９に記載の移動通信端末機。
【請求項１２】
前記進行状態情報は、前記タスク全体に対する進行度合いを図形または数字で表示したものであることを特徴とする請求項９に記載の移動通信端末機。
【請求項１３】
前記第１タスクリストから特定のタスクを選択するための第１キーと、
前記第２タスクリストから特定のタスクを選択するための第２キーと、を備え、
前記第１キーが操作されると前記第１タスクリストの項目をハイライトし、前記第２キーが操作されると前記第２タスクリストの項目をハイライトすることを特徴とする請求項１に記載の移動通信端末機。
【請求項１４】
前記第１タスクリスト及び前記第２タスクリストが互いにリンクしていることを特徴とする請求項１に記載の移動通信端末機。
【請求項１５】
前記第１タスクリストは、同時に実行可能なタスクのみのリストであることを特徴とする請求項１に記載の移動通信端末機。
【請求項１６】
タスクメニューの表示要求を受信するステップと、
前記タスクメニューの表示要求を受信すると、同時に実行可能なタスクを含む第１タスクリストと、現在実行中のタスクを示す第２タスクリストとを表示部に同時に表示するステップと、
を含むことを特徴とする移動通信端末機の制御方法。
【請求項１７】
前記第２タスクリストから特定のタスクが選択されるステップと、
前記選択されたタスクの進行状態を表す進行状態情報を表示するステップと、
をさらに含むことを特徴とする請求項１６に記載の移動通信端末機の制御方法。
【請求項１８】
前記第１タスクリストから特定のタスクが選択されるステップと、
前記選択されたタスクが含まれるように前記第２タスクリストを更新するステップと、
をさらに含むことを特徴とする請求項１６に記載の移動通信端末機の制御方法。
【請求項１９】
前記第１タスクリストと前記第２タスクリストとを同時に表示するステップは、
前記第１タスクリストをスクロールするスクロールバーをさらに表示することを特徴とする請求項１６に記載の移動通信端末機の制御方法。
【請求項２０】
前記第１タスクリストと前記第２タスクリストとを同時に表示するステップは、
前記第１タスクリスト及び前記第２タスクリストを一つの表示部に表示することを特徴とする請求項１６に記載の移動通信端末機の制御方法。
【請求項２１】
前記第１タスクリストと前記第２タスクリストとを同時に表示するステップは、
前記第１タスクリストと前記第２タスクリストとを、それぞれ異なる表示部に表示する
ことを特徴とする請求項２０に記載の移動通信端末機の制御方法。
【請求項２２】
前記第２タスクリストは、現在実行中のタスクをアイコン表示したものであることを特徴とする請求項１６に記載の移動通信端末機の制御方法。
【請求項２３】
前記第２タスクリストから特定のアイコンが選択されるステップと、
前記選択されたアイコンに対応するタスクの名称を表示するステップと、
をさらに含むことを特徴とする請求項２２に記載の移動通信端末機の制御方法。
【請求項２４】
前記第２タスクリストから特定のアイコンが選択されるステップと、
前記選択されたアイコンに対応するタスクの進行状態を表す進行状態情報を表示するステップと、
を含むことを特徴とする請求項２２に記載の移動通信端末機の制御方法。
【請求項２５】
前記第２タスクリストから特定のアイコンが選択されるステップと、
前記選択されたアイコンに対応するタスクの名称及び該タスクの進行状態を表す進行状態情報を表示するステップと、
を含むことを特徴とする請求項２２に記載の移動通信端末機の制御方法。
【請求項２６】
タスクの進行状態に応じて前記選択されたアイコンが変化することで前記進行状態情報を表示することを特徴とする請求項２４に記載の移動通信端末機の制御方法。
【請求項２７】
前記進行状態情報は、前記タスクの全体に対する進行度合いを図形又は数字で表示したものであることを特徴とする請求項２４に記載の移動通信端末機の制御方法。
【請求項２８】
前記第１タスクリストから特定のタスクを選択するための第１キーが操作されると前記第１タスクリストの項目をハイライトし、前記第２タスクリストから特定のタスクを選択するための第２キーが操作されると前記第２タスクリストの項目をハイライトすることを特徴とする請求項１６に記載の移動通信端末機の制御方法。
【請求項２９】
前記第１タスクリスト及び前記第２タスクリストが互いにリンクしていることを特徴とする請求項１６に記載の移動通信端末機の制御方法。
【請求項３０】
前記第１タスクリストは、同時に実行可能なタスクのみのリストであることを特徴とする請求項１６に記載の移動通信端末機の制御方法。
【発明の詳細な説明】
【技術分野】
【０００１】
本発明は、移動通信端末機及びその制御方法に関する。
【背景技術】
【０００２】
移動通信端末機は、基本的な通信機能の他にも多様な付加機能を提供する。このような多様な付加機能は、同時に実行することが可能であり、このように複数の機能を同時に実行することをマルチタスキングという。例えば、ユーザーは、移動通信端末機を用いて、音楽を聞きながら他のユーザーにメッセージ等を送信したり、データをダウンロードしながらゲームをしたりすることができる。
【０００３】
また、移動通信端末機は、ユーザーの要求等に応じてタスクの一覧（リスト）を含むタスクメニューを表示する。
【発明の開示】
【発明が解決しようとする課題】
【０００４】
ところで、前記タスクメニューは、一般に、単一のメニュー画面で表示され、ユーザーがタスクメニューからいずれかのタスクを選択すれば、この選択されたタスクに関する情報が画面に表示されて、前記タスクメニューはもはや表示されない。
【０００５】
したがって、ユーザーがマルチタスキングで作業を行うためには、通常、次のような過程を経る。すなわち、まずユーザーが現在実行中のタスクを確認し、その後にタスクメニューを表示させ、表示されたタスクメニューから新たに実行しようとする他のタスクを選択するという過程を経なければならない。また、従来の移動通信端末機では、ユーザーが実行中の特定タスクの進行状態情報を容易に確認することもできなかった。
【０００６】
このため、従来の移動通信端末機では、同時に複数のタスクを行う際の操作性が良いとは言えず、この点において改良の余地がある。また、タスクを選択するための画面と、すでに実行中のタスクを表示する画面とが異なっているため、画面の切換え作業が多く発生することとなり、移動通信端末機の負荷が多くなることはもちろん、ユーザーにとっても煩わしいものであった。
【０００７】
本発明は、以上のような実情に着目してなされたものであり、その目的は、マルチタスキングで同時に複数のタスクを行う際の作業性を向上させることのできる移動通信端末機及びその制御方法を提供することにある。
【課題を解決するための手段】
【０００８】
上記の目的を達成するため、本発明は、複数のタスクを同時に実行できる移動通信端末機において、タスクメニューの表示要求があったときに、同時に実行可能なタスクを含む第１タスクリストと、現在実行中のタスクを示す第２タスクリストとを表示部に同時に表示することを特徴とする。
【０００９】
また、本発明は、移動通信端末機の制御方法であって、タスクメニューの表示要求を受信するステップと、前記タスクメニューの表示要求を受信すると、同時に実行可能なタスクを含む第１タスクリストと、現在実行中のタスクを示す第２タスクリストとを表示部に同時に表示するステップを含むことを特徴とする。
【００１０】
ここで、前記第２タスクリストから特定のタスクが選択されると、該選択されたタスクに進行状態情報がさらに表示されるのが好ましい。また、例えば、前記第１タスクメニューが第１の方向に表示されれば、前記第２タスクメニューは前記第１の方向と異なる第２の方向に表示されるのが好ましい。前記方向には、表示部における垂直方向、水平方向が含まれることはもちろん、円状、アーチ状に表示される場合などをも含む。また、前記第１タスクメニューと第２タスクメニューとは、同一の表示部で互いに独立して表示される場合のほか、移動通信端末機が複数の表示部を備える場合には、異なる表示部にそれぞれ表示されてもよい。
【００１１】
本発明の適用範囲は、以下の詳細な説明においてさらに明確になるであろう。また、当業者であれば、以下で説明される詳細な説明及び具体的な実施形態は単に例に過ぎず、本発明の思想を逸脱しない範囲内で、様々な変更及び修正が可能であることを理解できるはずである。
【発明の効果】
【００１２】
本発明は、新しい移動通信端末機のメニュー項目の選択方法を提供する。すなわち、本発明に係る移動通信端末機によれば、同時に実行可能なタスクを含む第１タスクメニュー及び現在実行中のタスクを示す第２タスクメニューが同時に表示されるので、ユーザーがマルチタスキングで作業を行わせる際の操作性が向上する。すなわち、画面の切換え等の追加の作業を要することなく、実行させたいタスクの選択と、実行しているタスクの確認とが容易に行える。
【発明を実施するための最良の形態】
【００１３】
以下、図面を参照しつつ本発明の実施形態を詳細に説明する。
図１は、本発明に係る移動通信端末機のブロック図である。図１に示すように、この移動通信端末機は、制御部１０、入力部２０、出力部（表示部）３０、メモリ３２、及び通信モジュール３４を含んで構成される。
【００１４】
入力部２０は、複数の数字／文字キー、機能ボタン及び移動ボタン（図示せず）などを備えており、ユーザーがこれらを適宜操作することにより、所定の指令や所定のデータなどが入力される。
【００１５】
表示部３０は、ＬＣＤ（Ｌｉｑｕｉｄ  Ｃｒｙｓｔａｌ  Ｄｉｓｐｌａｙ）のようなディスプレイを含み、移動通信端末機の状態や動作に必要な画面などを表示する。
【００１６】
メモリ３２には、移動通信端末機の運営に必要な各種プログラムやデータ、並びに動作に必要な画面の構成のためのデータなどが格納される。
【００１７】
通信モジュール３４は、移動通信網を介して通信を行うのに必要なインターフェースを提供する。
【００１８】
そして、制御部１０は、前記各部の動作を制御し、移動通信端末機の全般的な動作の制御を担当する。例えば、メモリ３２に格納されたプログラムやデータを利用することにより、通信モジュール３４を介して所望データをダウンロードしながらゲーム機能をユーザーに提供するなど、ユーザーが選択した複数のタスクを同時に実行させることも可能であり、また、ユーザーの要求や移動通信端末機に応じて表示部３０に所定の画面を表示させる。
【００１９】
特に、制御部１０は、ユーザーからのタスクメニューの表示要求を受信すると、マルチタスキングで同時に実行可能なタスクを含む第１のタスクリスト（例えば、従来のタスクメニューがこれに相当する）と、マルチタスキングで現在実行中のタスクの一覧である第２のタスクリストとを表示部３０に同時に表示させるように制御する。
【００２０】
このとき、制御部１０は、表示部３０（ディスプレイ）の画面を分割し、この分割されたいずれかの画面に第１のタスクリストを表示させ、他の画面に第２のタスクリストを表示させるようにする。なお、表示部３０が複数ある場合には、第１のタスクリストと第２のタスクリストとを異なる表示部に表示させるようにしてもよい。
【００２１】
また、制御部１０は、実行中のタスクの進行状態を把握し、第２のタスクリストから特定のタスクが選択されると、この選択されたタスクの進行状態情報を表示部３０に表示させるように制御する。
【００２２】
ここで、上記したように、第１のタスクリスト、第２のタスクリストは、一つの出力部に表示されてもよいが、移動通信端末機が複数の表示部を備えるような場合には、例えば、一方（第１のタスクリスト）が主表示部（ｍａｉｎ  ｄｉｓｐｌａｙ）に表示され、他方（第２のタスクリスト）が副表示部（ｓｅｃｏｎｄａｒｙ  ｄｉｓｐｌａｙ）に表示されるというように、それぞれ異なる表示部に表示されてもよい。
【００２３】
また、表示部３０には、第１のタスクリストとともに、この第１のタスクリストをスクロールするためのスクロールバーが表示される。このスクロールバーは入力部２０に設けられるキー等を介してユーザーによって操作されるようになっており、この操作に応じた方向に第１のタスクリストがスクロールされる。
【００２４】
第２のタスクリストから選択されたタスクの進行状態情報には、この選択されたタスクの種類や選択されたタスクの現在までの進行状況（例えば、タスクの全体に対する進行度合いを百分率（％）で示したもの）が含まれる。
【００２５】
入力部２０には、表示部３０を介して出力された第１、第２のタスクリストの各リスト等にカーソル又はポインタ（以下、「カーソル等」という）移動させるための上下・左右移動ボタンが設けられており、この操作ボタンを適宜操作することによって、カーソル等を所望のタスクへと移動させることができる。また、入力部２０に設定された選択ボタン等により、表示部３０に出力されたリストからいずれかの項目を選択することができる。さらに、入力部２０には、第１、第２のボタンで構成される切換ボタンが設けられており、第１のボタンが操作されると、第１のタスクリストの項目（すなわち、同時に実行可能なタスク）がハイライトされ、第２のボタンが操作されると、第２のタスクリストの項目（すなわち、現在実行中のタスク）がハイライトされる。
したがって、ユーザーは、入力部２０に設けられた各ボタンを用いることにより、第１のタスクリストと第２のタスクリストとの間を自由に移動して所望のタスクを選択することができる。
【００２６】
制御部１０は、例えば、タスクメニューの表示指令があると、第１のタスクリスト及び第２のタスクリストが、表示部３０を介して（すなわち、ディスプレイ上に）共に（同時に）出力されるように各部を制御し、また、入力部２０のボタン操作に応じて、第１のタスクリスト又は第２のタスクリストから選択された項目がアクティブになるように制御する。
【００２７】
また、同図に示すように、制御部１０は、判断部１１及びデータ処理部１２を含んで構成される。判断部１１は、どのタスクが現在実行中であるのかを判断する。データ処理部１２は、判断部１１の判断結果に応じて、第２のタスクリストをアップデートする。
【００２８】
前記制御部１０は、現在実行中のタスクの一覧（すなわち、第２のタスクリスト）を、第１のタスクリスト（すなわち、従来のタスクメニューの相当するもの）と共に表示部３０のディスプレイ（画面）に表示させる。また、データ処理部１２は、あらかじめ設定された割合又は入力された割合に応じて、表示部３０の画面を横（左右）方向又は縦（上下）方向に分割し、あらかじめ設定された方法又は指定された方法で、該分割された画面のいずれかの部分に第１のタスクリストを表示させ、これとは異なる部分に第２のタスクリストを表示させる。
【００２９】
例えば、表示部３０の画面を上下方向に２分割する場合には、データ処理部１２は、分割された画面の上部画面には、実行可能なタスクを含む第１のタスクリストを表示させ、下部画面には、現在実行中のタスクの一覧である第２のタスクリストを表示させることができる。同様に、表示部３０の画面の左右方向に２分割する場合には、データ処理部１２は、分割された画面のうちの左側画面には、第１のタスクメニューを表示させ、右側画面には、第２のタスクリストを表示させることができる。また、判断部１１は、入力部２０のボタン操作に応じて、どのボタンが操作されたか、例えば、上下移動ボタンが操作されたか、又は左右移動ボタンが操作されたかなどを判断する。
【００３０】
また、データ処理部１２は、ユーザーのボタン操作（上下・左右移動ボタン操作等）に応じて、カーソル等を第１のタスクリスト内又は第２のタスクリスト内を移動させ、入力部２０から選択されたボタンに応じて、カーソル等が第１のタスクリストと第２のタスクリストとの間を移動するように制御する。ここで、データ処理部１２は、例えば、第１のタスクリストの各タスクの名称等を縦に（上下方向に）羅列し、第２のタスクリストの各タスクのアイコンを横に（左右方向に）羅列する。
【００３１】
したがって、このような場合には、ユーザーによって上下移動ボタンが操作されると、データ処理部１２は、カーソル等を第１のタスクリスト内で移動させ、左右移動ボタンが操作されると、カーソル等を第２のタスクリスト内で移動させることになる。例えば、上下移動ボタンを押すと、カーソル等が第１のタスクリストへと移動して該第１のタスクリストの項目をハイライトさせ、左右移動ボタンを押すと、カーソル等が第２のタスクリストへと移動して該第２のタスクリストの項目をハイライトさせるようにしておけば、ユーザーは、１つのボタン（上下・左右移動ボタン）を使用することで、第１のタスクリストと第２のタスクリストとの間を適宜移動すること（カーソル等を特定のタスクに位置させること）ができる。
【００３２】
さらに具体的な例を挙げると、実行可能なタスクを含む第１のタスクリストに、「電話帳」、「ゲーム」、「動画」、「カメラ」、「メッセージ」、「インターネット」、「音楽」などが含まれ、この第１のタスクリストが表示部３０の画面（の上部）に縦（上下方向）に表示される一方、現在実行中の「ゲーム」、「メッセージ」、「インターネット」及び「音楽」に対するアイコン（第２のタスクリスト）が表示部３０の画面（の下部）に横（左右方向）に羅列されている場合、上下移動ボタンが操作されれば、カーソル等又はハイライトが第１のタスクリスト内で移動することとなり、左右移動ボタンが操作されれば、カーソル等又はハイライトが第２のタスクリスト内で移動することになる。
【００３３】
このとき、データ処理部１２は、第２のタスクリストに表示されているアイコンのいずれかが選択されれば、この選択されたアイコンに対応するタスク（動作機能）を確認できるように、タスク（アイコン）の名称が当該アイコンと共に出力（表示）されるようにする。
【００３４】
また、データ処理部１２は、いずれかのアイコンが選択されれば、この選択されたアイコンに対するタスク（機能）をアクティブにする。例えば、ユーザーによって「ゲーム」アイコンが選択されれば、データ処理部１２は、「ゲーム」機能をアクティブとし、直ちに「ゲーム」メニュー等を表示部３０に出力することができる。
【００３５】
図２〜図５は、本発明の実施形態に係る移動通信端末機の表示部の画面、より具体的には、画面に表示された第１のタスクメニュー及び第２のタスクリストの例を示している。なお、タスクの進行状態情報は、図４及び図６に示されている。
【００３６】
例えば、図２に示すように、表示部３０の画面が上下に分割され、分割された上部画面には、「１．日程管理」、「２．カメラ」、「３．ｉｎｔｅｒｎｅｔ」、「４．ゲーム」・・・などの実行可能なタスクを含む第１のタスクリスト４０が出力され、下部画面には、現在マルチタスキングで実行されている「メッセージ」、「ｉｎｔｅｒｎｅｔ」、「ゲーム」タスクがアイコン形態で表示された第２のタスクリスト５０が出力されるとする。なお、第１のタスクリスト４０には、スクロールバー４１が含まれており、このスクロールバー４１を操作することで第１のタスクリスト４０（スクロールバー４１を除く）が上下にスクロールされるようになっている。
【００３７】
このような画面構成において、図３（ａ）に示すように、第１のタスクリスト４０において、現在実行されていない非実行タスクの「カメラ」項目５１が選択されれば、この選択されたタスク（「カメラ」）に対応するアイコン５２が第２のタスクリスト５０に追加される。
【００３８】
また、図３（ｂ）に示すように、入力部２０に設けられた上下移動ボタンの操作に応じて、カーソル等又はハイライトを第１のタスクリスト４０内で移動させることができ、図３（ｃ）に示すように、左右移動ボタンが操作されれば、カーソル等又ハイライトを現在実行中の第２のタスクリスト５０内で移動させることができる。また、図には示されていないが、スクロールバー４１によって第１のタスクメニューを上方向にスクロールさせて現在表示されていない５番目以降のタスク（項目）を表示させることができる。
【００３９】
すでに説明したように、カーソル等が第１のタスクリスト４０内に置かれているとき、すなわち、第１のタスクリスト４０の項目がハイライトされている場合には、ユーザーは、左右移動ボタンを押すことでカーソル等を第２のタスクリスト５０へと移動させることができる。このとき、第２のタスクリスト５０の項目がハイライトされることになる。また、図３（ｃ）に示すように、第２のタスクリスト５０において、メッセージ又は日程管理アイコンが選択されると、当該アイコンの名称（すなわち、アイコンに対応するタスクの名称）５５が第２のタスクリストの上に表示される。したがって、ユーザーは選択したアイコンの動作機能（タスク）を文字情報によっても確認することができる。
【００４０】
また、図４に示すように、第２のタスクリスト５０から特定のタスクが選択されると、この選択された、現在実行中のタスクの進行状態情報が表示される。このタスクの進行状態情報は、第２のタスクリスト５０の上部又は下部のいずれに表示されてもよく、また、第２のタスクリストから選択されたアイコンが当該タスクの進行状態に応じて変化するように表示されてもよい。
【００４１】
図４（ａ）の場合には、第２のタスクリスト５０から電子メールアイコン５６が選択され、この電子メールアイコン５６の背景が、特定の電子メールタスクの進行状態に応じて変化する。
【００４２】
図４（ｂ）は、タスクの進行状態情報を示す領域５７が設定され、この領域５７に、選択されたアイコンに対応するタスクの全体作業のうち、完了した作業の割合又は度合いを数字（分数）で示す。このように、進行状態情報を示す方法は、図形又は数字を用いて多様な形態をとり得る。
【００４３】
図４（ｃ）の場合には、選択されたアイコンに対応するタスクの全体作業のうち、完了した作業の百分率（％）を棒グラフの形態で領域５７に示したものである。
【００４４】
そして、図４（ｄ）の場合には、選択されたアイコンに対応するタスクの進行状態に応じて、円内の地色が順次満ちてくることによって、当該タスクの進行状態を示す。
【００４５】
このように様々な方法、すなわち、図形や数字を用いた様々な表示方法により、第２のタスクリストから選択された、現在実行中のタスクの進行状態情報を示すことができる。前記第１のタスクリスト、第２のタスクリスト、及びタスクの進行状態情報は、図４のように、一つの画面（タスクメニュー画面等）に表示されるか、又は移動通信端末機の個別表示領域に表示され、ユーザーは、一度でタスクに関する全体情報を把握することができる。なお、第１のタスクリストと第２のタスクリストとは互いにリンクされ、第１のタスクリストが表示されると常に（同時に）第２のタスクリストも表示されるように構成されていてもよい。
【００４６】
図５は、日程管理タスクが第１のタスクリスト又は第２のタスクリストから選択され、該日程管理タスクに対応するメニューが実行されることを示す。
【００４７】
すなわち、図５（ａ）及び（ｂ）に示すように、入力部２０に設けられたボタン操作に応じて、第１のタスクリスト４０から「日程管理」項目が選択され、又は第２のタスクリスト５０から日程管理アイコン５９が選択されると、図５（ｃ）に示すように、「日程管理」メニューのアクティブウインドウが表示部３０を介して出力される（画面に表示される）。これにより、ユーザーは、新たに又は引き続き適切な日程管理情報を入力できるようになる。
【００４８】
図６は、現在実行中のタスク（すなわち、第２のタスクリスト）及び該タスクの進行状態情報の多様な表示方法を示す図である。ここでは、第２のタスクリストが第１のタスクリストとは別の画面に表示されている。
【００４９】
まず、図６（ａ）では、マルチタスキングで実行されているタスクを示す第２のタスクリスト６０と、該第２のタスクリスト６０から選択されたタスクの進行状態情報とがそれぞれ表示部３０の画面の上段と下段とに分けられて表示される。ここでは、第２のタスクリスト６０から電子メールアイコン６１が選択され、電子メールタスクの進行状態、すなわち、作成文字数７１が進行状態情報表示領域７０に表示されている。
【００５０】
次に、図６（ｂ）では、第２のタスクリスト６０からマルチメディアファイル再生のアイコン６２が選択され、この選択されたマルチメディアファイル再生タスクの進行状態、すなわち、ファイル全体のうちのすでに再生した割合（度合い）７２（ここでは、５５％）が進行状態情報表示領域７０に表示されている。
【００５１】
次に、図６（ｃ）では、第２のタスクリスト６０からデータダウンロードのアイコン６３が選択され、この選択されたデータダウンロードタスクの進行状態が表示されている。
【００５２】
このようにユーザーは、左右移動ボタンを操作してカーソル等又はハイライトを第２のタスクリスト７０内の各アイコンに移動させることができ、現在実行中のタスクのうちのいずれかのタスクを選択する。すると、画面には、選択されたタスクに該当する進行状態情報が現在実行中のタスクのアイコンの一覧（すなわち、第２のタスクリスト）と共に表示される。
【００５３】
図６（ｄ）は、マルチタスキングで現在実行中のタスクのアイコンの一覧である第２のタスクリスト６０と、選択されたアイコンのタスクの進行状態情報７０とが、画面の左側と右側とに分けられて表示される場合を示している。ここでは、第２のタスクリスト６０と進行状態情報表示領域７０との間の位置にスクロールバー８０が形成され、このスクロールバー８０を利用することで、第２のタスクリスト６０を上下方向にスクロールできるようになっている。これにより、ユーザーは、現在実行中のタスクが多く、その全てのアイコンを一度に画面に表示できないような場合であっても、当該画面において、現在実行中のタスク全体を確認することができる。
【００５４】
図６（ｅ）は、マルチタスキングで現在実行中のタスクのアイコンの一覧である第２のタスクリストから選択されたアイコンのタスクの進行状態情報が、ポップアップ（Ｐｏｐ−Ｕｐ）ウィンドウ９０で表示される場合を示している。このポップアップウィンドウ９０は、透明（あるいは半透明）表示とすることができる。
【００５５】
ここで、図２〜５に示した画面から図６に示す画面に切換えることはもちろん、図２〜５に示した画面とは別に、図６に示す画面を表示することもできる。すなわち、図６に示した情報は、進行状態情報ボタンが押されたり、進行状態情報メニューが選択されたりしたときに、画面に表示させるようにすることができる。
【００５６】
図７は、本実施形態に係る移動通信端末機において、図６の画面を表示するための制御の一例を示すフローチャートである。なお、ここで説明する制御に先立って、あるいは、ここで説明する制御とは別に、本実施形態に係る移動通信端末機が、タスクメニューの表示要求を受けたときに、図２〜５に示すような画面、すなわち、実行可能なタスクを含む第１のタスクリストと、現在実行中のタスクのアイコンの一覧である第２のタスクリストとを共に（同時に）表示できることはもちろんである。なお、第１のタスクリストを、同時に実行可能であり、かつ、現在実行されていないタスクのみのリストとしてもよい。この場合、第１のタスクリストから特定のタスクが選択され、実行されると、当該タスクが第１のタスクリストから無くなり、当該タスクのアイコンが第２のタスクリストに追加されることになる。
【００５７】
図７において、本発明に係る移動通信端末機は、タスク進行状態情報メニューを選択するか否かを判断する（Ｓ１００）。かかる判断は、例えば、タスク進行状態の表示要求（例えば、ユーザーによる進行状態情報ボタンの操作や進行状態メニューの選択）があったか否かに基づいて行われる。タスク進行状態情報メニューを選択しない場合、すなわち、ステップＳ１００において「Ｎｏ」が選択されれば、本フローを終了する。
【００５８】
一方、タスク進行状態情報メニューを選択する場合、すなわち、ステップＳ１００において「Ｙｅｓ」が選択されれば、マルチタスキングで現在実行中のタスクの（アイコン）一覧、すなわち、第２のタスクリスト（図では、タスク目録）と、進行状態情報表示領域とが画面上に表示される（Ｓ２００）。
【００５９】
次に、現在実行中のタスクからいずれのタスクを選択するか否かを判断する（Ｓ３００）。かかる判断は、ユーザーが第２のタスクリストの中からいずれのアイコンを選択したかに基づいて行われる。すなわち、ユーザーが特定のアイコンを選択すると、移動通信端末機は、その選択されたアイコンに対応するタスクを選択する。
【００６０】
いずれかのタスクを選択する場合、すなわち、ステップＳ３００において「Ｙｅｓ」が選択されれば、図６のように、選択されたタスクの進行状態情報が進行状態情報表示領域に表示される（Ｓ４００）。また、続いて他のタスクを選択すれば（ユーザーが第２のタスクリストから他のアイコンを選択すれば）、この選択されたタスクの進行状態情報が進行状態情報表示領域に表示される（進行状態情報が切換えられる）。
【００６１】
一方、ステップＳ３００においてタスクを選択しない場合（ユーザーが第２のタスクリストから特定のアイコンを選択しない場合）、すなわち、ステップＳ３００において「Ｎｏ」が選択されれば、本フローを終了する。
【００６２】
ところで、本実施形態に係る移動通信端末機は、図２〜図５に示すように、同時に実行可能なタスクを含む第１のタスクリスト（又は同時に実行可能であり、かつ、現在実行されていないタスクの一覧である第１のタスクリスト）を垂直方向（画面の上下方向）に、現在実行中のタスク（のアイコン）の一覧である第２のタスクリストを水平方向（画面左右方向）に表示する。しかし、これは一例に過ぎず、第１、第２のタスクリストは様々な態様で画面に表示され得る。例えば、第１のタスクリスト又は第２のタスクリストを、アーチ状に又は円状に表示するようにしてもよいことはもちろんである。
また、タスク進行状態情報を表示する際に、他の様々な情報を併せて表示するようにしてもよい。例えば、第２のタスクリストから電子メールアイコンが選択された場合に、電子メールタスクの進行状態（作成文字数等）の他に、電子メールアドレス、電子メールの受信者氏名（宛先名称）などの情報を任意の態様で表示するようにしてもよい。
【００６３】
以上説明したように、本発明は、新しい移動通信端末機のメニュー項目の選択方法を提供する。すなわち、本発明に係る移動通信端末機及びその制御方法によれば、タスクメニューのような実行可能なタスクの一覧である第１のタスクリスト及び現在実行中のタスク（のアイコン）の一覧である第２のタスクリストを同時に画面に表示する。該画面において、第１のタスクリストが第１の方向に表示されれば、第２のタスクリストは第１の方向と異なる第２の方向に表示される。かかる表示方向には、垂直（上下）方向や水平(左右)方向のみならず、タスクリストを円状やアーチ状に表示される場合なども含む。第１のタスクリストと、第２のタスクリストとは、同時に表示されるが、互いに独立したものとして構成される。したがって、ユーザーは、第１、第２のタスクリストのいずれかにおいて所定のタスク項目を選択できることはもちろん、両方のタスクリストにおいて所定のタスク項目を選択することもできる。
【００６４】
また、入力部２０に設けられるキーとしては様々な形態が考えられる。例えば、ユーザーは、移動通信端末機に設けられた第１方向キー又はジョグキー（ｊｏｇ  ｋｅｙ）を押すことによって画面上のカーソル等を第１のタスクリストへと移動させることができ、第２方向キー又はジョグキーを押すことによって画面上のカーソル等を第２のタスクリストへと移動させることができる。
【００６５】
ここで、第１のタスクリストをサービス目録とし、第２のタスクリストをオブジェクト目録とすることも可能である。サービス目録は、例えば、通話目録又は音声通話、画像通話、電子メール、短文メッセージ（ＳＭＳ）、マルチメディアメッセージ（ＭＭＳ）、インスタントメッセージなどのメッセージ目録であり得る。また、オブジェクト目録は、電話帳のような受信者目録であり得る。サービス目録はまた、映像又はビデオ再生、背景画面設定、着信ベル音の設定などのマルチメディアサービスを含むことができる。オブジェクト目録はまた、写真、ＭＰＥＧ音楽ファイル、動画などのマルチメディアオブジェクトを含むことができる。
【００６６】
さらに、第１、第２のタスクリストは、それぞれ第１方向キーや第２方向キーを選択することによって、すなわち、キー操作を行うことによって直ちにアクティブとなり（活性化し）、又は非アクティブとなる（非活性化させる）ことができる。
【００６７】
以上のように、ユーザーは、多くのメニューを経なくても（すなわち、画面を多数切換えることなく）、現在実行していないが実行可能なタスク及び現在実行中の全てのタスクを見ることができる。また、現在実行中の全てのタスク及びその進行状態の情報を見ることができる。したがって、従来に比べて、操作性が向上して移動通信端末機を提供することができる。
【００６８】
また、入力部がタッチスクリーンを備えるようにすれば、第１のタスクリストや第２のタスクリストなどのタスク関連情報をタッチスクリーンに表示することで、ユーザーは、特定の項目又はアイコンを指でタッチしてその項目をアクティブにすることができる。なお、ユーザーがキーパッドを使用してキーを押すことによって、特定項目をアクティブにすることができるようにしてもよいことはもちろんである。
【００６９】
以上、本発明の実施形態を説明してきたが本発明は、上記した実施形態に限定されるものではなく、本発明に係る技術的思想の範囲から逸脱しない範囲内で様々な変更が可能である。そして、それらも本発明の技術的範囲に属することは言うまでもない。
【図面の簡単な説明】
【００７０】
【図１】本発明の実施形態に係る移動通信端末機のブロック図である。
【図２】本発明の実施形態に係る移動通信端末機の表示部（画面）であり、第１のタスクリスト及び第２のタスクリストを示す図である。
【図３】同じく本発明の実施形態に係る移動通信端末機の表示部（画面）であり、第１のタスクリスト及び第２のタスクリストを示す図である。
【図４】同じく本発明の実施形態に係る移動通信端末機の表示部（画面）であり、第１のタスクリスト及び第２のタスクリストを示す図である。
【図５】同じく本発明の実施形態に係る移動通信端末機の表示部（画面）であり、第１のタスクリスト及び第２のタスクリストを示す図である。
【図６】本発明実施形態に係る移動通信端末機の表示部（画面）であり、第２のタスクリスト及びタスクの進行状態情報を示す図である。
【図７】本発明の実施形態に係る移動通信端末機の制御（図６の画面を表示する制御）を説明するフローチャートである。
【符号の説明】
【００７１】
１０：制御部
２０：入力部
３０：表示部
３２：メモリ
３４：通信モジュール
４０：第１のタスクリスト
５０，６０：第２のタスクリスト
７０：進行状態情報表示領域
【図１】
2007042105.tif 000003
【図２】
2007042105.tif 000004
【図３】
2007042105.tif 000005
【図４】
2007042105.tif 000006
【図５】
2007042105.tif 000007
【図６】
2007042105.tif 000008
【図７】
2007042105.tif 000009